(57)【要約】【課題】首への着脱が容易であり、着用中の安定性に優れ、構成部分を交換することなく模様・色彩・柄などの外観的な変化を得ることも可能なスカーフを提供する。【解決手段】スカーフ１は、折り曲げ可能な柔軟素材で形成された環状の垂下部材２と、この垂下部材２の内周側に挿通可能な柔軟素材で形成された首巻部材３とを備えている。首巻部材３は細長い帯状材で形成され、その両端部３ａ，３ｂ寄りの部分にそれぞれ互いに接合、分離可能な面ファスナを付設している。面ファスナを接合せず帯状態にある首巻部材３を環状の垂下部材２の内周側に挿通し、垂下部材２を胸部に垂らした状態で首巻部材３を首に巻き付け、首巻部材３の両方の端部３ａ，３ｂ同士を重ね合わせて面ファスナで連結する。そして、垂下部材２の内周面２ｂのホック５ａを首巻部材３の端部３ａ寄りのホック５ｂに接合することによって着用する。【選択図】  図１
2005298987.tif 000002
【特許請求の範囲】
【請求項１】
柔軟素材で形成された環状の垂下部材と、前記垂下部材の内周側に挿通しその端部同士を係脱可能に接合するための連結手段を有する柔軟素材で形成された首巻部材と、を備えたことを特徴とするスカーフ。
【請求項２】
前記垂下部材、前記首巻部材の少なくとも一方に、前記垂下部材を前記首巻部材に係脱可能に係止するための係止手段を設けた請求項１記載のスカーフ。
【請求項３】
前記垂下部材を帯状材で形成した請求項１または２記載のスカーフ。
【請求項４】
前記垂下部材を、複数のシート材を分離可能に重合し、または少なくとも１枚のシート材を分離可能に巻回して形成した請求項１〜３のいずれかに記載のスカーフ。
【請求項５】
前記首巻部材の少なくとも一部に磁石を付設または内蔵させた請求項１〜４のいずれかに記載のスカーフ。
【発明の詳細な説明】
【技術分野】
【０００１】
本発明は、ファッション用、レジャー用、防寒用あるいは食事中の衣服保護カバーとして使用するスカーフに関する。
【背景技術】
【０００２】
人間が首に巻いて使用するスカーフは、流行性のあるファッション用品の一つであるため、様々なデザイン、形状、色彩のものが提案されているが、形状的には連続した１本の帯状のものが主流である。一方、ファッション性だけでなく、ゴルフなどを行う際の利便性を考慮したスカーフとして、特許文献１に記載のものがある。
【０００３】
特許文献１に記載の首スカーフは、長尺で柔軟な帯状物からなる首巻部と、この首巻部に接合する装飾部とから構成されている。このような構成とすることにより、運動中に着用していても使用状態が乱れることがなく、また、各人の好みに応じた色彩的変化をも得ることができる、というものである。
【０００４】
【特許文献１】実開昭５９−１６５４１３号公報（第４−１０頁）
【発明の開示】
【発明が解決しようとする課題】
【０００５】
特許文献１に記載の首スカーフの場合、装飾部は脱着自在テープによって首巻部に接合されているため、装飾部の重さが接合部分に集中している。このため、この首スカーフを長時間着用したり、着用したまま激しい運動をしたりすると、脱着自在テープ部分が離脱して、装飾部が外れるおそれがあり、不安定である。
【０００６】
また、この首スカーフの場合、デザインや色彩的な変化を得ることは可能であるが、そのためには、装飾部そのものを交換しなければならないので、面倒である。
【０００７】
本発明が解決しようとする課題は、首への着脱が容易であり、着用中の安定性に優れ、構成部分を交換することなく模様・色彩・柄などの外観的な変化を得ることも可能なスカーフを提供することにある。
【課題を解決するための手段】
【０００８】
本発明のスカーフは、柔軟素材で形成された環状の垂下部材と、垂下部材の内周側に挿通しその端部同士を係脱可能に接合するための連結手段を有する柔軟素材で形成された首巻部材と、を備えたことを特徴とする。
【０００９】
このような構成とすれば、環状の垂下部材に首巻部材を挿通し、垂下部材を胸部に垂らした状態で首巻部材を首に巻き付け、首巻部材の両端同士を連結手段で連結するだけで着用が完了し、連結手段を解除すれば首巻部材とともに垂下部材を外すことができるため、首への着脱が容易である。また、垂下部材は環状であり、着用中は、垂下部材の内周側に挿通した首巻部材の連結手段を解除しない限り離脱することはないので、着用中の安定性に優れている。さらに、環状をした垂下部材をその長手方向に移動させたり、裏返したりすれば、着用中に最前面に位置する部分が変化するため、構成部材を交換することなく模様、色彩あるいは柄などの外観を変化させることができる。
【００１０】
すなわち、垂下部材の表裏に互いに異なる柄や色彩を施したり、環状をした垂下部材の長手方向に沿って模様・色彩・柄などの異なる部分を設けたりしておけば、垂下部材をその長手方向に移動させたり、裏返したりすることによって、着用中に最前面に位置する部分が変化するため、構成部材である垂下部材を交換することなく模様・色彩・柄などの外観的な変化を得ることができる。
【００１１】
ここで、垂下部材、首巻部材の少なくとも一方に、垂下部材を首巻部材に係脱可能に係止するための係止手段を設けることが望ましい。このような構成とすれば、首巻部材に対して垂下部材を動かないように係止することが可能となるため、着用中に垂下部材がずれたり、移動したりするのを防止することができる。
【００１２】
一方、垂下部材を帯状材で形成すれば、その幅が一定となり、着用中に最前面に位置する部分を変化させるために垂下部材を長手方向に移動させた場合も常に同じ幅を維持することが可能となる。このため、例えば、垂下部材を衣服保護カバーとして使用する場合、常に一定の領域をカバーすることが可能となり、安定した機能を保つことができ、外観上の違和感も生じない。
【００１３】
さらに、前記垂下部材を、複数のシート材を分離可能に重合し、または少なくとも１枚のシート材を分離可能に巻回して形成したものとすることもできる。このような構成とすれば、環状をした垂下部材の外周面に位置するシート材を１枚ずつ取り外したり、または適当な長さ解いてカットしたりすることにより、その内側に位置する新たなシート材を露出させることが可能となる。したがって、外側に露出している面が汚れたときなど、汚れたシート材を垂下部材から順次取り外したり、カットしたりすることにより、常にきれいな面を露出させることができるので、当該スカーフを食事中の衣服カバーとして使用する場合、衛生的であり、便利である。
【００１４】
また、前記首巻部材の少なくとも一部に磁石を付設または内蔵させることもできる。このような構成とすれば、当該首巻部材を首に巻き付けてスカーフを装着したとき、首の周囲の少なくとも一部に、磁石が発する磁力が当たることとなるため、肩こりや首の痛みなどに対する治療効果も得ることができる。
【発明の効果】
【００１５】
本発明により、以下の効果を奏することができる。
【００１６】
（１）柔軟素材で形成された環状の垂下部材と、垂下部材の内周側に挿通しその端部同士を係脱可能に接合するための連結手段を有する柔軟素材で形成された首巻部材と、を備えたことにより、首への着脱は容易であり、着用中の安定性に優れ、構成部分を交換することなく模様・色彩・柄などの外観的変化を得ることも可能となる。
【００１７】
（２）垂下部材、首巻部材の少なくとも一方に、垂下部材を首巻部材に係脱可能に係止するための係止手段を設ければ、首巻部材に垂下部材を係止可能となるため、着用中に垂下部材がずれたり、移動したりするのを防止することができる。
【００１８】
（３）垂下部材を帯状材で形成すれば、垂下部材を長手方向に移動させた場合も常に同じ幅を維持することが可能となるため、常に一定の領域をカバーすることが可能となり、安定した機能を保つことができ、外観上の違和感も生じない。
【００１９】
（４）垂下部材を、複数のシート材を分離可能に重合し、または少なくとも１枚のシート材を分離可能に巻回して形成すれば、シート材を１枚ずつ取り外したり、適当な長さに解いてカットしたりすることにより、その内側に位置する新たなシート材を露出させることが可能となる。
【００２０】
（５）首巻部材の少なくとも一部に磁石を付設または内蔵させれば、磁石が発する磁力により、肩こりや首の痛みなどに対する治療効果も得ることができる。
【発明を実施するための最良の形態】
【００２１】
以下、図面に基づいて本発明の実施の形態であるスカーフについて説明する。図１は本発明の第１実施形態であるスカーフを示す斜視図であり、図２は図１に示すスカーフの分解斜視図であり、図３は図１に示すスカーフを構成する垂下部材を示す斜視図であり、図４は図１に示すスカーフの他の使用状態を示す斜視図である。
【００２２】
図１に示すように、本実施形態のスカーフ１は、折り曲げ可能な柔軟素材で形成された環状の垂下部材２と、この垂下部材２の内周側に挿通可能な柔軟素材で形成された首巻部材３とを備えている。図２に示すように、首巻部材３は細長い帯状材で形成され、その両方の端部３ａ，３ｂ寄りの部分にそれぞれ互いに接合、分離可能な面ファスナ４ａ，４ｂを付設している。
【００２３】
これらの面ファスナ４ａ，４ｂを互いに面接触させて軽く押圧すれば首巻部材３を環状にすることができ、互いに逆方向に引っ張って面ファスナ４ａ，４ｂを分離すれば首巻部材３は帯状になる。すなわち、面ファスナ４ａ，４ｂは、首巻部材３の端部同士を係脱可能に接合するための連結手段として機能する。
【００２４】
また、首巻部材３の端部３ａ寄りの部分における面ファスナ４ａの反対面にはホック５ｂが付設され、垂下部材２の内周面２ｂにはホック５ｂに接合、離脱可能なホック５ａが付設されている。これらのホック５ａ，５ｂは、後述するように、垂下部材２を首巻部材３に係脱可能に係止するための係止手段として機能する。
【００２５】
スカーフ１を着用する場合、面ファスナ４ａ，４ｂを接合せず帯状態にある首巻部材３を環状の垂下部材２の内周側に挿通し、垂下部材２を胸部に垂らした状態で首巻部材３を首に巻き付け、首巻部材３の両方の端部３ａ，３ｂ同士を重ね合わせて面ファスナ４ａ，４ｂで連結する。そして、垂下部材２の内周面にあるホック５ａを首巻部材３の端部３ａ寄りにあるホック５ｂに接合すれば、着用が完了する。
【００２６】
なお、予めホック５ｂにホック５ａを接合して首巻部材３に垂下部材２を係止しておき、垂下部材２を胸部に垂らした状態で首巻部材３を首に巻き付けた後、面ファスナ４ａ，４ｂで連結することによって着用することもできる。
【００２７】
着用中のスカーフ１は、図１に示すように、首巻部材３の両方の端部３ａ，３ｂの連結部が垂下部材２の内周面で包囲されて外から見えない状態となり、星形模様Ｄ１が付された外周面２ａが垂下部材２の最前面に位置するため、外観性は良好であり、ファッション性にも優れている。
【００２８】
一方、着用したスカーフ１を外す場合は、前述とは逆に、面ファスナ４ａ，４ｂを分離して首巻部材３を帯状に戻せば、この首巻部材３とともに垂下部材２を首から外すことができる。このように、スカーフ１の場合、面ファスナ４ａ，４ｂの係合、離脱により首巻部材３とともに垂下部材２を装着したり、取り外したりすることができるため、着脱が容易である。
【００２９】
また、垂下部材２は環状であるため、着用中は、垂下部材２の内周側に挿通した首巻部材３の面ファスナ４ａ，４ｂを分離しない限り、首巻部材３から垂下部材２が離脱することはないので、着用中の安定性に優れている。
【００３０】
本実施形態のスカーフ１の構成部材である垂下部材２は、図３に示すように、外周面２ａには星形模様Ｄ１が付され、この外周面２ａの後背面側に位置する外周面２ｃにはストライプ模様Ｄ２が付されている。したがって、垂下部材２を首巻部材３に係止する際に、垂下部材２を長手方向に移動させ、その外周面２ｃが最前面に位置するようにして、ホック５ｃを首巻部材３のホック５ｂに接合すれば、ストライプ模様Ｄ２が付された外周面２ｃが外から見える状態とすることができる。
【００３１】
このように、環状をした垂下部材２の外周面２ａ，２ｃに異なった模様・色彩・柄などを付しておけば、垂下部材２をその長手方向に移動させ、首巻部材３に対する係止位置を変えることにより、着用中に垂下部材２の最前面に位置する部分が変化させることができる。このため、構成部材である垂下部材２を交換することなく、模様・色彩・柄などの外観を変化させることができる。
【００３２】
また、垂下部材２および首巻部材３には、垂下部材２を首巻部材３に係脱可能に係止するための係止手段として、ホック５ａ，５ｂ，５ｃを付設しているため、首巻部材３に対して垂下部材２を動かないように係止することできる。このため、スカーフ１を着用しているときに、垂下部材２がずれたり、移動したりするのを防止することができる。
【００３３】
一方、スカーフ１を構成する垂下部材２の代わりに、図５に示すような、垂下部材６を使用することもできる。この垂下部材６では、その外周面６ａ全体にチェック模様Ｄ３が付され、内周面６ｂ全体に水玉模様Ｄ４が付されている。したがって、垂下部材６を首巻部材３にセットする場合、外周面６ａまたは内周面６ｂのいずれかを外側に向けることにより、チェック模様Ｄ３または水玉模様Ｄ４を選択することができる。
【００３４】
このように、垂下部材６を裏返すことによっても、着用中に最前面に位置する部分を変化させることができるため、構成部材である垂下部材６を交換することなく、模様・色彩・柄などの外観的な変化を得ることができる。なお、垂下部材６の場合、首巻部材３に対する係止手段としてのホックなどを設けていない。それは、垂下部材６が長手方向に移動しても最前面の模様は殆ど変化せず、外観的な印象も変わらないからである。
【００３５】
また、垂下部材２，６は帯状材で形成され、その幅が一定であるため、着用中に最前面に位置する部分を変化させるために垂下部材２，６をその長手方向に移動させた場合も常に同じ幅を維持することが可能となる。このため、例えば、垂下部材２を衣服保護カバーとして使用する場合、常に一定の領域をカバーすることが可能となり、安定した機能を保つことができ、外観上の違和感も生じない。
【００３６】
なお、垂下部材２には星形模様Ｄ１、ストライプ模様Ｄ２が付され、垂下部材６にはチェック模様Ｄ３、水玉模様Ｄ４が付されているが、垂下部材のデザインはこれらの模様に限定するものではないので、通常のスカーフと同様の模様・色彩・柄などを付することができる。また、首巻部材３、垂下部材２の材質についても限定するものではないので、人間が着用可能な材質であれば様々な素材を使用してスカーフ１を構成することができる。
【００３７】
前述した垂下部材２，６はいずれも幅の一定な帯状材で形成しているが、この形状に限定するものではないので、首巻部材３との係止部分から下方に向かって広がった形状、幅が規則的または不規則に変化した形状など様々な形状とすることができる。また、首巻部材３についても、幅の一定な帯状に限定しないので、紐状、縄状など多様な形状とすることができる。さらに、首巻部材３の少なくとも一部に磁石を付設または内蔵させれば、磁石が発する磁力により、肩こりや首の痛みなどに対する治療効果も得ることができる。
【００３８】
次に、図６を参照して、本発明の第２実施形態であるスカーフ２０について説明する。なお、図６において図１〜図５と同じ符号を付している部分は、前述の説明と同じ機能、効果を発揮する部分であるため、説明を省略する。
【００３９】
スカーフ２０においては、その構成部材である環状の垂下部材２１を、環状をした複数のシート材２１ａ，２１ｂ，２１ｃ，・・・を分離可能に重合して形成している。したがって、垂下部材２１の外周面に位置するシート材２１ａが汚れたときなど、このシート材２１ａを１枚ずつ取り外すことによって、その内側に位置する新たなシート材２１ｂを露出させることができる。このため、垂下部材２１の最前面を常にきれいな状態に保つことができるようになり、例えば、スカーフ１を食事中の衣服カバーとして使用する場合、衛生的であり、便利である。
【００４０】
なお、シート材２１ａなどを垂下部材２１から取り外す場合、図６に示すように、予め設けられた切り取り線２２でシート材２１ａなどを切断して離脱させる方法のほか、首巻部材３の両端部３ａ，３ｂを分離してシート材２１ａなどを環状のまま離脱させる方法などを採用することができる。
【００４１】
次に、図７を参照して、本発明の第３実施形態であるスカーフ３０について説明する。なお、図７において図１〜図５と同じ符号を付している部分は、前述の説明と同じ機能、効果を発揮する部分であるため、説明を省略する。
【００４２】
スカーフ３０においては、その構成部材である環状の垂下部材３１を、連続した１枚の長尺帯状のシート材３１ａを分離可能に巻回して形成している。したがって、垂下部材３１の外周面に位置するシート材３１ａが汚れたときなど、適当な長さだけシート材３１ａを解いてカットすることにより、その内側に位置する新たなシート材３１ａを露出させることが可能である。
【００４３】
したがって、前述したスカーフ２０の場合と同様、外側に露出している面が汚れたときなど、汚れたシート材３１ａを垂下部材３１から順次引き出してカットすることにより、常にきれいな面を露出させることができるので、スカーフ３０を食事中の衣服カバーとして使用する場合、常に衛生状態を良好に保つことができ、便利である。
【産業上の利用可能性】
【００４４】
本発明に係るスカーフは、ファッション用、レジャー用、防寒用あるいは食事中の衣服保護カバーなどとして広く利用することができる。
【図面の簡単な説明】
【００４５】
【図１】本発明の第１実施形態であるスカーフを示す斜視図である。
【図２】図１に示すスカーフの分解斜視図である。
【図３】図１に示すスカーフを構成する垂下部材を示す斜視図である。
【図４】図１に示すスカーフの他の使用状態を示す斜視図である。
【図５】垂下部材に関する他の実施形態を示す斜視図である。
【図６】本発明の第２実施形態であるスカーフを示す斜視図である。
【図７】本発明の第３実施形態であるスカーフを示す斜視図である。
【符号の説明】
【００４６】
１，２０，３０  スカーフ
２，６，２１，３１  垂下部材
２ａ，２ｂ，２ｃ  外周面
３  首巻部材
４ａ，４ｂ  面ファスナ
５ａ，５ｂ，５ｃ  ホック
２１ａ，２１ｂ，２１ｃ，３１ａ  シート材
２２  切り取り線
Ｄ１  星形模様
Ｄ２  ストライプ模様
Ｄ３  チェック模様
Ｄ４  水玉模様
【図１】
2005298987.tif 000003
【図２】
2005298987.tif 000004
【図３】
2005298987.tif 000005
【図４】
2005298987.tif 000006
【図５】
2005298987.tif 000007
【図６】
2005298987.tif 000008
【図７】
2005298987.tif 000009